(57)【要約】  本発明は、触覚面（２）であって、該触覚面上のユーザの指の接触と指の移動とを検出するための触覚面（２）と、触覚面（２）上の接触に応じて、触覚面（２）を振動させる及び／又はユーザのための聴覚フィードバックをもたらすように形成される触覚及び／又は聴覚フィードバックモジュール（４）とを備える自動車両用の制御装置であって、触覚面（２）の２つの領域（Ｚ１，Ｚ２）を分離する境界（６）で指の移動が検出されるときに触覚及び／又は聴覚フィードバックパターンをもたらすべく触覚及び／又は聴覚フィードバックモジュール４を管理するようになっている管理ユニット（５）を備えることを特徴とする制御装置に関する。また、本発明は制御方法にも関連する。
2017531869.tif 000002
【特許請求の範囲】
【請求項１】
−タッチ面（２）であって、該タッチ面（２）上のユーザの指の接触と指の移動とを検出するようになっている、タッチ面（２）と、
−前記タッチ面（２）上の接触に応じて、前記タッチ面（２）を振動させる及び／又はユーザへの聴覚フィードバックをもたらすように構成される触覚及び／又は聴覚フィードバックモジュール（４）と、
を備える自動車両用の制御装置であって、
前記タッチ面（２）の２つのゾーン（Ｚ１，Ｚ２）を分離する境界（６）を横切る指の移動が検出されるときに触覚及び／又は聴覚フィードバックをもたらすべく前記触覚及び／又は聴覚フィードバックモジュール（４）を駆動させるように構成される駆動ユニット（５）を備えることを特徴とする制御装置。
【請求項２】
指が前記境界（６）を横切った時点で触覚フィードバックがもたらされないことを特徴とする請求項１に記載の制御装置。
【請求項３】
前記タッチ面（２）は、閉じられた面により画定される少なくとも１つの第１のゾーン（Ｚ１）と、前記第１のゾーン（Ｚ１）を取り囲む少なくとも１つの第２のゾーン（Ｚ２）とを備えることを特徴とする請求項１又は請求項２に記載の制御装置。
【請求項４】
閉じられた面により画定される前記第１のゾーン（Ｚ１）内への指の移動が検出されるときに第１の触覚及び／又は聴覚フィードバックがもたらされ、前記第１のゾーン（Ｚ１）からの指の移動が検出されるときに第２の触覚及び／又は聴覚フィードバックがもたらされることを特徴とする請求項３に記載の制御装置。
【請求項５】
前記第２の触覚及び／又は聴覚フィードバックが前記第１の触覚及び／又はフィードバックとは異なることを特徴とする請求項４に記載の制御装置。
【請求項６】
前記駆動ユニット（５）は、前記境界（６）の背後に位置されるゾーン（Ｚ１）内で接触が検出されるときに機能を制御することを特徴とする請求項１から５のいずれか一項に記載の制御装置。
【請求項７】
前記聴覚フィードバックのパラメータは、音量、位相、周波数、持続時間の大きさから選択され、及び／又は、前記触覚フィードバックのパラメータは、加速度、周波数、振幅、持続時間、位相の大きさから選択されることを特徴とする請求項１から６のいずれか一項に記載の制御装置。
【請求項８】
請求項１から７のいずれか一項に記載の自動車両用の制御装置を制御するための方法であって、
−前記タッチ面（２）上のユーザの指の接触と指の移動とが検出されるステップと、
−前記タッチ面（２）の２つのゾーン（Ｚ１，Ｚ２）を分離する境界（６）を横切る指の移動が検出されるときに触覚及び／又は聴覚フィードバックがもたらされるステップと、
を備えることを特徴とする方法。
【請求項９】
指が前記境界（６）を横切った時点で触覚フィードバックがもたらされないことを特徴とする請求項８に記載の方法。
【請求項１０】
前記タッチ面（２）は、閉じられた面により画定される少なくとも１つの第１のゾーン（Ｚ１）と、前記第１のゾーン（Ｚ１）を取り囲む少なくとも１つの第２のゾーン（Ｚ２）とを備えることを特徴とする請求項８又は請求項９に記載の方法。
【請求項１１】
前記第１のゾーン（Ｚ１）内への指の移動が検出されるときに第１の触覚及び／又は聴覚フィードバックがもたらされ、前記第１のゾーン（Ｚ１）からの指の移動が検出されるときに第２の触覚及び／又は聴覚フィードバックがもたらされることを特徴とする請求項１０に記載の方法。
【請求項１２】
前記第２の触覚及び／又は聴覚フィードバックが前記第１の触覚及び／又はフィードバックとは異なることを特徴とする請求項１１に記載の方法。
【請求項１３】
前記駆動ユニット（５）は、前記境界（６）の背後に位置されるゾーン（Ｚ１）内で接触が検出されるときに機能を制御することを特徴とする請求項８から１２のいずれか一項に記載の方法。
【発明の詳細な説明】
【技術分野】
【０００１】
本発明は、自動車両用の制御装置及び前記制御装置を制御するための方法に関する。
【背景技術】
【０００２】
近年において、車は、新たな創発的技術の出現に伴って取り扱いが容易になってきた（例えば、支援操向、ＡＢＳ、速度調整器、後進レーダなど）。しかしながら、逆説的には、運転中に制御されるべき機能の数もかなり増大してきた。それは、これらの機能の使用及びそれらの多様性の乏しい知識に関連付けられるある種の複雑さをもたらす可能性がある。車は、例えばＭＰ３プレーヤ、ＧＰＳ、携帯電話との接続部との個人的な相互接続される通信センターとして認識される、まさしく生活空間になってきた。
【０００３】
これらの新たな機能の導入は、車内のダッシュボード上のボタンの数の増加によって反映される。しかしながら、ボタンの数を無限に増大させることは、特にそれに伴う複雑さ、限られたスペース、アクセスのしやすさ、又は、認知的負荷に起因して不可能である。また、ドライバーと車に組み込まれたシステムとの相互作用は、運転の作業に関する全ての情報をドライバーが最良に取り扱うことができないという注意力過負荷の状況を生じさせる可能性があり、それは、誤り及びより長い検出時間によって反映される。
【０００４】
１つの可能性は、ボタンをタッチスクリーンと置き換えることによってボタンを中心に集めることである。これにより、機能の数を増大させ続けることができ、機能は、プログラム可能及び再構成可能になるとともに、状況に応じて又は起動される機能に応じて一時的に又は恒久的に表示される。したがって、スクリーンは、ボタンを非物質化してカスタマイズ可能にしつつ多機能性能力を含む。また、スクリーンは３つの他の主要な利点を有する。すなわち、一方ではスクリーンが直接的な相互作用（ディスプレイ及び入力のコロケーション）を可能にし、他方では、スクリーンが多目的であり（ディスプレイは、特定数の機能のために容易に構成され得る）、最後に、スクリーンが直感的である（例えば「ポインター」など、よく知られている相互作用方法）。
【０００５】
しかしながら、プッシュボタンの場合とは異なり、ドライバーがタッチスクリーンと相互作用するとき、ドライバーは、自分の指がスクリーンに擦り付くという単純な接触以外、インタフェースに対するドライバーの作用に直接に関連するフィードバックを何ら受けない。
【０００６】
従来の機械的なインタフェースをタッチスクリーンと置き換えることによりもたらされる情報の損失を補償するために、触覚フィードバックなどのフィードバックを付加して、システムからのフィードバックをユーザに与えるようにしている。このフィードバックにより、危険な状況の発生を促す可能性があるシステムによるユーザの行為の認識に関する想定し得る曖昧さを回避することができる。しかしながら、フィードバックは、運転の作業により既に非常にストレスが加えられた視覚伝導路及び聴覚伝導路に負担をかけ過ぎないようにもしなければならない。実際に、自動車両におけるタッチスクリーンの使用は、ドライバーの注意をそらせてはならない。
【発明の概要】
【発明が解決しようとする課題】
【０００７】
本発明の１つの目的は、運転を妨げず、ユーザにより良好に知覚されて認識されるとともに、自動車両制約を順守するタッチスクリーン用途における他の信号から区別され得る、制御装置及び前記制御装置を制御するための方法を提供することである。
【課題を解決するための手段】
【０００８】
この目的のために、本発明の主題は、
−タッチ面であって、該タッチ面上のユーザの指の接触と指の移動とを検出するようになっている、タッチ面と、
−タッチ面上の接触に応じて、タッチ面を振動させる及び／又はユーザへの聴覚フィードバックをもたらすように構成される触覚及び／又は聴覚フィードバックモジュールと、
を備える自動車両用の制御装置であって、
タッチ面の２つのゾーンを分離する境界を横切る指の移動が検出されるときに触覚及び／又は聴覚フィードバックパターンをもたらすべく触覚及び／又は聴覚フィードバックモジュールを駆動させるように構成される駆動ユニットを備えることを特徴とする制御装置である。
【０００９】
２つのゾーンを分離する境界により意味されるものは、例えば制御ユニットに取り込まれるコンピュータ又はソフトウェアプログラムによって決定されるタッチ面上の所定の境界又は限界である。その場合、これは、物理的である又はマーキングにより特定される境界ではなく、ソフトウェアにより画定される境界である。
【００１０】
したがって、触覚及び／又は聴覚フィードバックを使用すると、タッチ面がそのような物理的な境界を有さずにほぼ完全に滑らかな場合であっても２つのゾーン間の物理的な境界又は限界をシミュレートすることができる。
【００１１】
単独で又は組み合わせて解釈される制御装置の１つ以上の特徴によれば、
−指が境界を横切った時点で触覚フィードバックがもたらされない、
−タッチ面は、閉じられた面により画定される少なくとも１つの第１のゾーンと、第１のゾーンを取り囲む少なくとも１つの第２のゾーンとを備える。
【００１２】
−したがって、例えばキーボードのキーをシミュレートできる。
【００１３】
−閉じられた面により画定される第１のゾーン内への指の移動が検出されるときに第１の触覚及び／又は聴覚フィードバックがもたらされ、また、前記第１のゾーンからの指の移動が検出されるときに第２の触覚及び／又は聴覚フィードバックがもたらされる、ユーザがキーを押圧した後にキーを解放するときに感じるものをシミュレートできる。
【００１４】
−第２の触覚及び／又は聴覚フィードバックが前記第１の触覚及び／又はフィードバックとは異なる、
−駆動ユニットは、境界の背後に位置されるゾーン内で接触が検出されるときに機能を制御する、
−聴覚フィードバックのパラメータは、音量、位相、周波数、持続時間の大きさから選択され、及び／又は、触覚フィードバックのパラメータは、加速度、周波数、振幅、持続時間、位相の大きさから選択される。
【００１５】
本発明の他の主題は、既に記載された自動車両用の制御装置を制御するための方法であって、
−タッチ面上のユーザの指の接触と指の移動とが検出されるステップと、
−タッチ面の２つのゾーンを分離する境界を越える指の移動が検出されるときに触覚及び／又は聴覚フィードバックがもたらされるステップと、
を備えることを特徴とする方法である。
【００１６】
単独で又は組み合わせて解釈される制御方法の１つ以上の特徴によれば、
−指が境界を横切った時点で触覚フィードバックがもたらされない、
−タッチ面は、閉じられた面により画定される少なくとも１つの第１のゾーンと、前記第１のゾーンを取り囲む少なくとも１つの第２のゾーンとを備える、
−第１のゾーン内への指の移動が検出されるときに第１の触覚及び／又は聴覚フィードバックがもたらされ、また、前記第１のゾーンからの指の移動が検出されるときに第２の触覚及び／又は聴覚フィードバックがもたらされる、
−第２の触覚及び／又は聴覚フィードバックが前記第１の触覚及び／又はフィードバックとは異なる、
−駆動ユニットは、境界の背後に位置されるゾーン内で接触が検出されるときに機能を制御する。
【図面の簡単な説明】
【００１７】
他の利点及び特徴は、本発明の説明と本発明の非限定的で典型的な実施形態を表す添付の図とを読むと明らかになる。
【図１】自動車両用の制御装置の一例を表す。
【図２】タッチ面の一例を表す。
【００１８】
これらの図では、同一の要素が同じ参照数字を有する。
【発明を実施するための形態】
【００１９】
図１は、自動車両制御装置１を表す。
【００２０】
制御装置１は、タッチ面２と、触覚及び／又は聴覚フィードバックモジュール４とを備える。
【００２１】
タッチ面２は、ユーザの指の接触と、タッチ面２上にわたる指の移動とを検出するようになっている。
【００２２】
触覚及び／又は聴覚フィードバックモジュール４は、例えばコマンドを変更した又は選択したユーザの指又は任意の他の起動手段（例えばスタイラス）によるタッチ面２上の接触に応じてタッチ面を振動させる及び／又はタッチ面２上の接触に応じてユーザへの聴覚フィードバックをもたらすように構成される。
【００２３】
「触覚」は、触ることによるフィードバックを表す。したがって、触覚フィードバックは、振動信号又は振動触覚信号である。
【００２４】
制御装置１は、タッチ面２を通じて画像を表示するためにタッチ面２の下側に配置される表示装置を備えることができ、タッチ面２は、この場合、透明であり、したがってタッチスクリーンを形成する。
【００２５】
タッチスクリーンは、システムのユーザがタッチスクリーンと触れることにより相互作用できるようにする入力周辺装置である。タッチスクリーンは、例えば、宛先アドレスの選択又はディレクトリ内の名前の選択、空調システムの設定、専用機能の起動、リストからのトラックの選択、又は、一般的には、選択肢、選択、認証、及び、エラーのリストのスクローリングなどの様々な使用のためにユーザが選択したいゾーン上でユーザの直接的な相互作用を可能にする。
【００２６】
タッチ面２は、ユーザの指又はスタイラスの押圧或いは移動を検出するための接触センサを有するプレートを備える。
【００２７】
接触センサは、例えば、一般的にはＦＳＲ（力検出抵抗器）技術を使用する、すなわち、感圧抵抗器を使用する圧力センサである。ＦＳＲ技術は、高い分解能を有しつつ、非常に良好な強度及びロバスト性を示す。また、この接触センサは、経時的に比較的安定していながら、非常に反応が早く正確である。接触センサは、かなり長い寿命を有することができるとともに、比較的低いコストで、任意のタイプの起動手段と共に使用され得る。
【００２８】
ＦＳＲ技術の１つの形態によれば、センサは、例えば指の作用により接触する２つの導電層を配置することによって動作する。実施形態のうちの１つは、ガラスプレートを導電性インクの層で覆うことにあり、導電性インクの層上には可撓性ポリエステルのシートが重ね合わされ、可撓性ポリエステルのシートは、それ自体、その内面上を導電性インクの層によって覆われる。絶縁性の透明なブロックがプレートをポリエステルシートから絶縁する。タッチ面上での起動は、ポリエステル層の僅かな押し下げをもたらし、それにより、ポリエステル層がガラスプレートの導電層と接触する。２つの導電層の局所的な接触は、プレートに印加される電流の変化をもたらし、この変化が電圧勾配に対応する。
【００２９】
他の例によれば、接触センサは、例えば導電層と抵抗層との間に挟まれる可撓性の半導体層を備える。ＦＳＲ層に圧力又は抵抗作用を及ぼすことにより、ＦＳＲ層のオーム抵抗が減少し、したがって、適切な電圧の印加により、印加圧力及び／又は圧力が及ぼされるポイントの位置を測定できる。
【００３０】
他の例によれば、接触センサが容量性技術に基づく。
【００３１】
触覚フィードバックモジュール４は、接触センサからの信号に応じて触覚フィードバックをもたらすために、タッチ面２のプレートに連結される少なくとも１つのアクチュエータ（図示せず）を備える。触覚フィードバックは、アクチュエータへ送られる正弦波制御信号によって或いはアクチュエータへ送られる１つのパルス又は一連のパルスを備える制御信号によって生み出される振動などの振動信号である。振動は、例えば、タッチ面２の平面内で方向付けられ又はタッチ面２の平面に対して直交して方向付けられ、或いは更には、これらの２つの方向の組み合わせにしたがって方向付けられる。
【００３２】
複数のアクチュエータの場合、これらのアクチュエータは、タッチ面２の下側に、異なる位置で（中心に又は一方側で）又は異なる方向で（タッチ面に対する押圧方向で又は他の軸に）配置される。
【００３３】
典型的な実施形態によれば、アクチュエータは、スピーカ（ボイスコイル）技術と同様の技術に基づく。アクチュエータは、固定部分と、該固定部分の空隙内で並進移動できる部分とを備え、移動できる部分は、該移動部分の長手方向軸と平行に、第１の位置と第２の位置との間を例えば２００μｍ程度移動できる。移動部分は、例えば、固定コイル内でスライドする移動磁石によって又は固定磁石の周囲でスライドする移動コイルによって形成され、移動部分及び固定部分は電磁効果によって協働する。移動部分は、ユーザの指への触覚フィードバックをもたらすべく移動部分の移動がプレートの並進移動をもたらすようにプレートに連結される。この技術は、制御が容易であり、様々な周波数でスクリーンの変位のような大質量の変位を可能にするとともに、低コスト、高温変動に対する良好な耐性、及び、設置の容易さという非常に厳しい自動車両制約を順守する。
【００３４】
制御装置１は、タッチ面２の２つのゾーンＺ１，Ｚ２を分離する境界６を横切って指の移動が検出されるときに触覚及び／又は聴覚フィードバックをもたらすべく触覚及び／又は聴覚フィードバックモジュール４を駆動させるように構成される駆動ユニット５を更に備える。
【００３５】
勿論、境界６は、タッチ面２上に物理的に具現化されない。スライドなどの指の移動は、タッチ面２上の少なくとも２つの連続する空間座標での指の位置に関する情報を含む。
【００３６】
聴覚フィードバックのパラメータは、音量、位相、周波数、持続時間の大きさから選択され得る。
【００３７】
触覚フィードバックのパラメータは、加速度、周波数、振幅、持続時間、位相の大きさから選択され得る。
【００３８】
したがって、２つのゾーン間の物理的境界は、触覚及び／又は聴覚フィードバックを使用してシミュレートされ得る。境界は、例えば線の形状を成し、例えば少なくとも部分的に直線の形状を成す。更に、指が境界６を横切った時点で触覚フィードバックがもたらされないようにしてもよい。また、境界６の背後に位置されるゾーンＺ１の内側で接触が検出されるときに、駆動ユニット５が機能を制御する、例えば、エアコン、ラジオ、音楽、電話、換気、又は、ナビゲーションシステムなどの車両搭載システムを制御するようにしてもよい。
【００３９】
図２に描かれる典型的な実施形態によれば、タッチ面２は、例えば略正方形の閉じられた面により画定される少なくとも１つの第１のゾーンＺ１と、第１のゾーンＺ１を取り囲む少なくとも１つの第２のゾーンＺ２とを備える。閉じられたゾーンＺ１の内側で接触が検出されるときに駆動ユニット５が機能を制御するようにしてもよい。したがって、例えばキーボードのキーをシミュレートすることができる。そのため、ユーザの指が境界６を横断するとき、ユーザは、この横断をユーザに知らせるとともに例えばキーの押し下げをシミュレートする触覚フィードバックを感じる。また、閉じられたゾーンＺ１内への指の移動が検出されるときに第１の触覚及び／又は聴覚フィードバックがもたらされるようにするとともに、前記閉じられたゾーンＺ１からの指の移動が検出されるときに第２の触覚及び／又は聴覚フィードバックがもたらされるようにしてもよい。第２の触覚及び／又は聴覚フィードバックは第１の触覚及び／又は聴覚フィードバックとは異なり、それにより、ユーザがキーを押圧した後にキーを解放することにより感じるものをシミュレートできる。
【図１】
2017531869.tif 000003
【図２】
2017531869.tif 000004
【国際調査報告】
2017531869.tif 000005
2017531869.tif 000006
2017531869.tif 000007
2017531869.tif 000008
2017531869.tif 000009
2017531869.tif 000010